(57)【要約】【課題】遠隔地にある第１の情報処理システムを用いて、操作者が用いている第２の情報処理システム内の電子メールを検索させた後に、操作者は、検索結果である印刷対象に対して容易に印刷の指示を施すことができるようにした情報処理システムを提供する。【解決手段】情報処理システムの検索指示手段は、第１の情報処理システムから受信した電子メール内の検索指示に応じて、対応する第２の情報処理システムにその検索を行わせる検索指示を送信し、検索結果送信手段は、第２の情報処理システムから検索の結果を受信し、第１の情報処理システムへ該検索の結果を送信し、電子メール取出手段は、印刷すべき電子メールを指定した電子メールを第１の情報処理システムから受信し、該印刷すべき電子メールを第２の情報処理システムから取り出し、印刷制御手段は、電子メール取出手段によって取り出された電子メールを印刷するように制御する。【選択図】図１
2008310432.tif 000002
【特許請求の範囲】
【請求項１】
第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
を具備することを特徴とする情報処理システム。
【請求項２】
第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールがない旨の電子メールを前記第１の情報処理システムから受信した場合は、前記第２の情報処理システムに対して、電子メールの受信を行わせる電子メール受信指示手段
を具備することを特徴とする情報処理システム。
【請求項３】
前記第２の情報処理システムから電子メールを受信した旨を受け取った後に、前記検索指示手段による検索指示を前記第２の情報処理システムに送信する第２の検索指示手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
を具備することを特徴とする請求項２に記載の情報処理システム。
【請求項４】
第１の情報処理システムから受信した第２の情報処理システムに対して電子メールの受信を行わせる電子メール受信指示に応じて、対応する第２の情報処理システムに電子メールの受信を行わせる電子メール受信指示手段と、
前記第１の情報処理システムから受信した電子メール内の検索指示に応じて、前記第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
を具備することを特徴とする情報処理システム。
【請求項５】
情報処理システムを、
第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
として機能させることを特徴とする情報処理プログラム。
【請求項６】
情報処理システムを、
第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールがない旨の電子メールを前記第１の情報処理システムから受信した場合は、前記第２の情報処理システムに対して、電子メールの受信を行わせる電子メール受信指示手段
として機能させることを特徴とする情報処理プログラム。
【請求項７】
前記情報処理システムを、
前記第２の情報処理システムから電子メールを受信した旨を受け取った後に、前記検索指示手段による検索指示を前記第２の情報処理システムに送信する第２の検索指示手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
として機能させることを特徴とする請求項６に記載の情報処理プログラム。
【請求項８】
情報処理システムを、
第１の情報処理システムから受信した第２の情報処理システムに対して電子メールの受信を行わせる電子メール受信指示に応じて、対応する第２の情報処理システムに電子メールの受信を行わせる電子メール受信指示手段と、
前記第１の情報処理システムから受信した電子メール内の検索指示に応じて、前記第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
として機能させることを特徴とする情報処理プログラム。
【発明の詳細な説明】
【技術分野】
【０００１】
本発明は、情報処理システム及び情報処理プログラムに関する。
【背景技術】
【０００２】
利用者の端末から、インターネット等の通信によって遠隔地にあるシステムを利用することが行われている。しかし、利用したいシステムがイントラネット内にある場合は、一般的にファイアウォールで保護されている場合が多いので、イントラネット外にある端末から利用するのは手続き等が困難である。そこで、利用者の端末からシステムへの命令を電子メールを用いて行うことが試みられている。
【０００３】
これに関連する技術として、例えば、特許文献１には、ファイアウォールで隔絶されたイントラネットシステムに対し、外部からのアクセスを行うことを課題とし、ファイアウォールの内側に設けられたメールサーバ内に設けられたジョブ処理エンジン宛に、外部から電子メールを送信し、この電子メールの本文には、差出人の認識情報とジョブ指示情報とを記述しておき、受信されたメールに対して、差出人認証部において認証が行われ、ジョブ認識部においてジョブ指示が認識され、ジョブ実行部においてジョブが実行され、ジョブの実行結果は、返信メールあるいはＦＡＸとして差出人へと送信されることが開示されている。
【０００４】
また、例えば、特許文献２には、ファイアウォールが設けられているシステムの外部から、そのシステム内のＷＷＷサーバの情報を受け取ることを課題とし、メール受信部は、メールサーバを介してメールクライアントからの電子メールを受信し、メール解析部は、メール内容を電子メールの発信者を示す情報とアクセス内容とに分解し、セキュリティ管理部は、発信者が指定したＵＲＬに対するアクセスを許可されているのか否かを確認し、許可されている場合には、ＨＴＴＰサーバアクセス部が、アクセス内容で示されるＷＷＷサーバにアクセスし、そのＵＲＬで示されるドキュメント位置から情報を受け取り、メール作成部は、その情報を含む返送用の電子メールを作成し、メール送信部は、メールクライアントに電子メールを送信することが開示されている。
【０００５】
また、例えば、特許文献３には、電子メールを返信、転送等でやり取りされる一連のメールの束に対して添付文書を管理し、添付文書を効率良く参照できる文書管理方法を提供することを課題とし、電子メールサーバを介して送受信される電子メールデータに対してプログラムは業務メールであるかを判定し、業務メールであるとき、業務履歴情報としてメール本文と属性情報とメール間の接続情報を領域に登録し、メールの添付文書を抽出し、添付文書を領域に格納し、該添付文書のファイル名と容量、メールの送信日時と送信者名を添付文書の格納領域に対するポインタと併せて添付文書管理情報として領域に格納し、クライアントから検索参照コマンドを受けたとき、添付文書一覧参照コマンドの場合は添付文書一覧を表示し、他の場合は、コマンドの内容に応じて業務履歴一覧、電子メール一覧等を表示することが開示されている。
【特許文献１】特開２００２−３５８２７４号公報
【特許文献２】特開２０００−３３０８８５号公報
【特許文献３】特開２００３−０６７３０６号公報
【発明の開示】
【発明が解決しようとする課題】
【０００６】
ところで、従来技術では、遠隔地にある情報処理システムを用いて検索した後に、操作者は、検索結果内のどれを画像出力すべきかを指定することができない。
本発明は、このような背景技術の状況の中でなされたもので、遠隔地にある第１の情報処理システムを用いて、操作者が用いている第２の情報処理システム内の電子メールを検索させた後に、操作者は、検索結果である画像出力対象に対して容易に画像出力の指示を施すことができるようにした情報処理システム及び情報処理プログラムを提供することを目的としている。
【課題を解決するための手段】
【０００７】
かかる目的を達成するための本発明の要旨とするところは、次の各項の発明に存する。
［１］  第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
を具備することを特徴とする情報処理システム。
【０００８】
［２］  第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールがない旨の電子メールを前記第１の情報処理システムから受信した場合は、前記第２の情報処理システムに対して、電子メールの受信を行わせる電子メール受信指示手段
を具備することを特徴とする情報処理システム。
【０００９】
［３］  前記第２の情報処理システムから電子メールを受信した旨を受け取った後に、前記検索指示手段による検索指示を前記第２の情報処理システムに送信する第２の検索指示手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
を具備することを特徴とする［２］に記載の情報処理システム。
【００１０】
［４］  第１の情報処理システムから受信した第２の情報処理システムに対して電子メールの受信を行わせる電子メール受信指示に応じて、対応する第２の情報処理システムに電子メールの受信を行わせる電子メール受信指示手段と、
前記第１の情報処理システムから受信した電子メール内の検索指示に応じて、前記第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
を具備することを特徴とする情報処理システム。
【００１１】
［５］  情報処理システムを、
第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
として機能させることを特徴とする情報処理プログラム。
【００１２】
［６］  情報処理システムを、
第１の情報処理システムから受信した電子メール内の検索指示に応じて、対応する第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールがない旨の電子メールを前記第１の情報処理システムから受信した場合は、前記第２の情報処理システムに対して、電子メールの受信を行わせる電子メール受信指示手段
として機能させることを特徴とする情報処理プログラム。
【００１３】
［７］  前記情報処理システムを、
前記第２の情報処理システムから電子メールを受信した旨を受け取った後に、前記検索指示手段による検索指示を前記第２の情報処理システムに送信する第２の検索指示手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
として機能させることを特徴とする［６］に記載の情報処理プログラム。
【００１４】
［８］  情報処理システムを、
第１の情報処理システムから受信した第２の情報処理システムに対して電子メールの受信を行わせる電子メール受信指示に応じて、対応する第２の情報処理システムに電子メールの受信を行わせる電子メール受信指示手段と、
前記第１の情報処理システムから受信した電子メール内の検索指示に応じて、前記第２の情報処理システムにその検索を行わせる検索指示を送信する検索指示手段と、
前記第２の情報処理システムから検索の結果を受信し、前記第１の情報処理システムへ該検索の結果を送信する検索結果送信手段と、
前記検索結果送信手段によって送信された検索の結果に対して、画像出力すべき電子メールを指定した電子メールを前記第１の情報処理システムから受信し、該画像出力すべき電子メールを前記第２の情報処理システムから取り出す電子メール取出手段と、
前記電子メール取出手段によって取り出された電子メールを画像出力するように制御する画像出力制御手段
として機能させることを特徴とする情報処理プログラム。
【発明の効果】
【００１５】
請求項１記載の情報処理システムによれば、本構成を有していない場合に比較して、遠隔地にある第１の情報処理システムを用いて、操作者が用いている第２の情報処理システム内の電子メールを検索させた後に、操作者は、検索結果である画像出力対象に対して容易に画像出力の指示を施すことができるようになる。
【００１６】
請求項２記載の情報処理システムによれば、本構成を有していない場合に比較して、遠隔地にある第１の情報処理システムを用いて、操作者が用いている第２の情報処理システム内の電子メールを検索させた後に、操作者から画像出力すべき電子メールがない旨の返信があった場合は、その第２の情報処理システムに電子メールを受信させることができるようになり、その時点での電子メールの状況を反映した処理を行うことができるようになる。
【００１７】
請求項３記載の情報処理システムによれば、請求項２記載の情報処理システムによる効果に加えて、操作者が用いている第２の情報処理システム内の電子メールを検索させた後に、操作者は、検索結果である画像出力対象に対して容易に画像出力の指示を施すことができるようになる。
【００１８】
請求項４記載の情報処理システムによれば、本構成を有していない場合に比較して、遠隔地にある第１の情報処理システムを用いて、操作者が用いている第２の情報処理システムに電子メールを受信させ、その第２の情報処理システム内の電子メールを検索させた後に、操作者は、検索結果である画像出力対象に対して容易に画像出力の指示を施すことができるようになる。
【００１９】
請求項５記載の情報処理プログラムによれば、本構成を有していない場合に比較して、遠隔地にある第１の情報処理システムを用いて、操作者が用いている第２の情報処理システム内の電子メールを検索させた後に、操作者は、検索結果である画像出力対象に対して容易に画像出力の指示を施すことができるようになる。
【００２０】
請求項６記載の情報処理プログラムによれば、本構成を有していない場合に比較して、遠隔地にある第１の情報処理システムを用いて、操作者が用いている第２の情報処理システム内の電子メールを検索させた後に、操作者から画像出力すべき電子メールがない旨の返信があった場合は、その第２の情報処理システムに電子メールを受信させることができるようになり、その時点での電子メールの状況を反映した処理を行うことができるようになる。
【００２１】
請求項７記載の情報処理プログラムによれば、請求項６記載の情報処理プログラムによる効果に加えて、操作者が用いている第２の情報処理システム内の電子メールを検索させた後に、操作者は、検索結果である画像出力対象に対して容易に画像出力の指示を施すことができるようになる。
【００２２】
請求項８記載の情報処理プログラムによれば、本構成を有していない場合に比較して、遠隔地にある第１の情報処理システムを用いて、操作者が用いている第２の情報処理システムに電子メールを受信させ、その第２の情報処理システム内の電子メールを検索させた後に、操作者は、検索結果である画像出力対象に対して容易に画像出力の指示を施すことができるようになる。
【発明を実施するための最良の形態】
【００２３】
以下、図面に基づき本発明を実現するにあたっての好適な各種の実施の形態の例を説明する。
図１は、第１の実施の形態の構成例についての概念的なモジュール構成図を示している。
なお、モジュールとは、一般的に論理的に分離可能なソフトウェア（コンピュータ・プログラム）、ハードウェア等の部品を指す。したがって、本実施の形態におけるモジュールはコンピュータ・プログラムにおけるモジュールのことだけでなく、ハードウェア構成におけるモジュールも指す。それゆえ、本実施の形態は、コンピュータ・プログラム、システム及び方法の説明をも兼ねている。ただし、説明の都合上、「記憶する」、「記憶させる」、これらと同等の文言を用いるが、これらの文言は、実施の形態がコンピュータ・プログラムの場合は、記憶装置に記憶させるように制御するの意である。また、モジュールは機能にほぼ一対一に対応しているが、実装においては、１モジュールを１プログラムで構成してもよいし、複数モジュールを１プログラムで構成してもよく、逆に１モジュールを複数プログラムで構成してもよい。また、複数モジュールは１コンピュータによって実行されてもよいし、分散又は並列環境におけるコンピュータによって１モジュールが複数コンピュータで実行されてもよい。なお、１つのモジュールに他のモジュールが含まれていてもよい。また、以下、「接続」とは物理的な接続の他、論理的な接続（データの授受、指示、データ間の参照関係等）を含む。
また、システム又は装置とは、複数のコンピュータ、ハードウェア、装置等がネットワーク（一対一対応の通信接続を含む）等の通信手段で接続されて構成されるほか、１つのコンピュータ、ハードウェア、装置等によって実現される場合も含まれる。
以下、イントラネット外からイントラネット内の情報処理システムへ指示を送信する情報処理システムとして、携帯電話を主に例示して説明する。また、そのイントラネット内の操作者が普段用いている情報処理システムとして、ＰＣを主に例示して説明する。また、画像出力として、プリンタによる印刷を例示して説明する。
【００２４】
第１の実施の形態は、図１に示すように、携帯電話１０、携帯サーバ３０、ＰＣ４０、プリンタ５０を有している。携帯電話１０と携帯サーバ３０は通信回線２０を介して、携帯サーバ３０とＰＣ４０は通信回線９２を介して、携帯サーバ３０とプリンタ５０は通信回線９３を介して接続されている。携帯サーバ３０内には、電子メール送受信モジュール３１、通信モジュール３２、検索指示モジュール３３、検索結果印刷問合モジュール３４、電子メール取出モジュール３５、印刷制御モジュール３６を有している。ＰＣ４０内には、通信モジュール４１、電子メール検索モジュール４２、電子メール記憶モジュール４３を有している。
【００２５】
イントラネット内に、携帯サーバ３０、ＰＣ４０、プリンタ５０があり、イントラネット外に携帯電話１０がある。例えば、社外のネットワーク（インターネット）と社内のネットワーク（イントラネット）の間にファイアウォールを設けて、外部からの不正侵入を防ぐなど、セキュリティ面の対策が施されている。そして、操作者は、社内に設置されている普段使用しているＰＣ４０で電子メールのやり取りをしている。例えば、その操作者が、社外から携帯電話１０を用いてＰＣ４０内に格納されている電子メールをプリントアウトするような場面で用いられるものである。また、通信回線９２、通信回線９３は同一の通信回線であってもよい。
【００２６】
携帯電話１０は、通信回線２０を介して携帯サーバ３０の電子メール送受信モジュール３１と接続されている。操作者は、社外から携帯電話１０を利用して、携帯サーバ３０との間で、電子メールを送受信する。携帯サーバ３０へ送信する電子メールには、ＰＣ４０内に格納されている電子メールを検索する旨の検索指示、検索結果内のどの電子メールを印刷するかの印刷指示等が含まれている。また、携帯サーバ３０から受信する電子メールには、検索結果の一覧等が含まれている。
【００２７】
電子メール送受信モジュール３１は、検索指示モジュール３３、検索結果印刷問合モジュール３４、電子メール取出モジュール３５と接続され、また、通信回線２０を介して携帯電話１０と接続されている。
電子メール送受信モジュール３１は、携帯サーバ３０と携帯電話１０との間の通信を行う。つまり、携帯電話１０から受信した電子メール内の内容に応じて、その電子メールを検索指示モジュール３３、検索結果印刷問合モジュール３４、又は電子メール取出モジュール３５に振り分ける。逆に、検索指示モジュール３３、検索結果印刷問合モジュール３４、又は電子メール取出モジュール３５から受け取った情報を電子メールとして携帯電話１０へ送信する。具体的には、携帯電話１０からの受信メールに検索指示が含まれている場合は、その受信メールを検索指示モジュール３３へ渡し、印刷指示が含まれている場合は、その受信メールを電子メール取出モジュール３５へ渡す。逆に、検索結果印刷問合モジュール３４から渡された電子メールを指定された携帯電話１０へ送信する。
【００２８】
通信モジュール３２は、検索指示モジュール３３、検索結果印刷問合モジュール３４、電子メール取出モジュール３５と接続され、また、通信回線９２を介してＰＣ４０の通信モジュール４１と接続されている。
通信モジュール３２は、携帯サーバ３０とＰＣ４０との間の通信を行う。つまり、ＰＣ４０の通信モジュール４１から受信した情報に応じて、その情報を検索指示モジュール３３、検索結果印刷問合モジュール３４、又は電子メール取出モジュール３５に振り分ける。逆に、検索指示モジュール３３、検索結果印刷問合モジュール３４、又は電子メール取出モジュール３５から受け取った情報をＰＣ４０の通信モジュール４１へ送信する。
【００２９】
検索指示モジュール３３は、電子メール送受信モジュール３１、通信モジュール３２と接続されている。
検索指示モジュール３３は、電子メール送受信モジュール３１から渡された電子メール内の検索指示に応じて、対応するＰＣ４０、つまり検索対象である電子メールを格納しているＰＣ４０にその検索を行わせる検索指示を送信するように通信モジュール３２へ渡す。
【００３０】
検索結果印刷問合モジュール３４は、電子メール送受信モジュール３１、通信モジュール３２と接続されている。
検索結果印刷問合モジュール３４は、通信モジュール３２から渡された検索の結果を受け取り、その検索の結果及びどの電子メールを印刷すべきかという問い合わせを含む電子メールを携帯電話１０へ送信するように電子メール送受信モジュール３１へ渡す。
【００３１】
電子メール取出モジュール３５は、電子メール送受信モジュール３１、通信モジュール３２、印刷制御モジュール３６と接続されている。
電子メール取出モジュール３５は、検索結果印刷問合モジュール３４によって送信された検索の結果に対して、携帯電話１０から送信されてきた電子メールを、電子メール送受信モジュール３１より渡される。その電子メール内には、検索結果内のどの電子メールを印刷するかの印刷指示が含まれている。その印刷指示に応じて、対応するＰＣ４０、つまり印刷対象である電子メールを格納しているＰＣ４０に、通信モジュール３２を介して、その電子メールを取り出す取出指示を送信する。そして、ＰＣ４０から印刷すべき電子メールを通信モジュール３２を介して受け取り、受け取った電子メールを印刷制御モジュール３６へ渡す。
【００３２】
印刷制御モジュール３６は、電子メール取出モジュール３５と接続され、また、通信回線９３を介してプリンタ５０と接続されている。
印刷制御モジュール３６は、電子メール取出モジュール３５から受け取った電子メールをプリンタ５０によって印刷するように制御する。つまり、受け取った電子メールをプリンタ５０で印刷可能なように印刷制御コード付きの印刷情報に変換する、又は画像情報に変換する等を行って、通信回線９３を介して、プリンタ５０へ送信する。
【００３３】
通信モジュール４１は、電子メール検索モジュール４２と接続され、また、通信回線９２を介して携帯サーバ３０の通信モジュール３２と接続されている。
通信モジュール４１は、ＰＣ４０と携帯サーバ３０との間の通信を行う。つまり、携帯サーバ３０の通信モジュール３２から検索指示又は電子メール取出指示を受信し、電子メール検索モジュール４２へ渡す。逆に、電子メール検索モジュール４２から検索結果又は取り出した電子メールを受け取り、通信モジュール３２へ送信する。
【００３４】
電子メール検索モジュール４２は、通信モジュール４１、電子メール記憶モジュール４３と接続されている。
電子メール検索モジュール４２は、通信モジュール４１から受け取った検索指示に応じて、電子メール記憶モジュール４３から電子メールを検索し、検索結果を通信モジュール４１へ渡す。また、通信モジュール４１から受け取った電子メール取出指示に応じて、電子メール記憶モジュール４３から該当する電子メールを取り出し、その電子メールを通信モジュール４１へ渡す。
電子メール記憶モジュール４３は、電子メールを記憶しており、電子メール検索モジュール４２からアクセスされる。
【００３５】
プリンタ５０は、通信回線９３を介して携帯サーバ３０の印刷制御モジュール３６と接続されている。
プリンタ５０は、印刷制御モジュール３６から電子メールの印刷情報又は画像情報等を受け取って、電子メールを印刷する。
【００３６】
次に、第１の実施の形態の作用・働き（動作）を説明する。
図２を用いて、第１の実施の形態の処理例を説明する。なお、図１に示した通信回線２０はインターネット２１に該当し、通信回線９２、９３は、ネットワーク９０に該当する。
まず、概要を説明する。
図２に示す様に、携帯電話１０からＰＣ４０内部に格納されている電子メールの検索指示を行うときは、ＰＣ４０のメールアドレスではなく携帯サーバ３０のアドレスに対してＰＣ４０の検索指示を含む電子メールを送信する。携帯サーバ３０からＰＣ４０に対して検索要求を与えることにより、ＰＣ４０内部に不必要な検索指示メールが直接送信されないようにする。これにより、イントラネット９１外部からの電子メールを各ＰＣ４０に直接配信することなく、ＰＣ４０内部の電子メールの検索が行える。
検索結果は、携帯サーバ３０から電子メールで携帯電話１０に送信される。そして、携帯電話１０から印刷指示メールが携帯サーバ３０に送信され、携帯サーバ３０がプリンタ５０を制御することにより印刷される。
【００３７】
次に、詳細を説明する。
ステップＳ２０１では、操作者の操作に応じて、携帯電話１０から携帯サーバ３０へ電子メールを送信する。この電子メール内には、イントラネット９１内のＰＣ４０内部の電子メールを検索させる検索指示が含まれている。
つまり、インターネット２１を介して、携帯サーバ３０の電子メール送受信モジュール３１は、携帯電話１０からの電子メールを受信する。電子メール送受信モジュール３１は、電子メール内を解析して、検索指示が含まれていることが判明するので、検索指示モジュール３３へその電子メールを渡す。
なお、この電子メールは、各ＰＣ４０へ直接送付されていないので、各ＰＣ４０には検索指示である電子メールが残ることはない。本来不要な電子メールであり、各ＰＣ４０に残すべきではないものである。また、各ＰＣ４０のメールアドレスを用いていないので、セキュリティを確保することができる。
ここで、検索指示とは、例えば、電子メールを受信した日時の指定、電子メール内に含まれている言葉、送信者等を検索用のキーワードとして指定するものである。
【００３８】
ステップＳ２０２では、携帯サーバ３０から検索指示で指定されたＰＣ４０内に格納された電子メールを検索する。
つまり、検索指示モジュール３３は、電子メール内の検索指示に応じて、対応するＰＣ４０内に格納されている電子メールを検索するように、通信モジュール３２を介してＰＣ４０に検索指示を送信する。検索指示モジュール３３は、図３に示すような携帯メールアドレス・ＰＣ対応テーブル３００を有している。携帯メールアドレス・ＰＣ対応テーブル３００は、携帯メールアドレス欄３０１、ＰＣ欄３０２を有している。検索指示モジュール３３は、携帯メールアドレス・ＰＣ対応テーブル３００を用いて、受信した電子メールに対応するＰＣ４０を特定する。つまり、受信した電子メールの送信元のメールアドレスを抽出し、携帯メールアドレス・ＰＣ対応テーブル３００の携帯メールアドレス欄３０１に記憶されているそのメールアドレスに対応するＰＣ欄３０２に記憶されているＰＣ４０を特定する。ＰＣ欄３０２に記憶されるものは、ＰＣ４０を特定できるものであればよく、例えば、ＩＰアドレス、コンピュータ名等である。
次に、ＰＣ４０の電子メール検索モジュール４２は、通信モジュール４１を介して、検索指示を受け取り、その検索指示に応じて、電子メール記憶モジュール４３に格納されている電子メールを検索する。
そして、検索結果を通信モジュール４１を介して、携帯サーバ３０へ送信する。
【００３９】
ステップＳ２０３では、携帯サーバ３０から検索結果を電子メールで携帯電話１０へ送信する。
つまり、検索結果印刷問合モジュール３４が通信モジュール３２を介して、ＰＣ４０からの検索結果を受信し、検索指示を出した携帯電話１０へ検索結果を電子メール送受信モジュール３１を介して、電子メールとして送信する。ここで、検索結果印刷問合モジュール３４が生成する電子メールの内容は、図４に示すような検索結果送信メール４００である。検索結果送信メール４００は、件名等４０１とメール本文４０２があり、メール本文４０２には検索結果４０３を記載する。検索結果４０３は、ＰＣ４０による検索結果であり、電子メールを特定する情報（例えば、受信日、送信者、件名等）である。
【００４０】
ステップＳ２０４では、携帯電話１０は、ステップＳ２０３で送信された電子メールを受信し、操作者の操作に応じて、携帯電話１０の画面で印刷したい電子メールが選択される。携帯電話１０は、その選択された電子メールを特定する情報を、電子メールで携帯サーバ３０へ送信する。
【００４１】
ステップＳ２０５では、携帯サーバ３０は、印刷すべき電子メールをＰＣ４０から取り出す。
つまり、電子メール取出モジュール３５は、ステップＳ２０４の電子メールを電子メール送受信モジュール３１を介して受信し、選択された電子メールを取り出すために、ＰＣ４０に対して、電子メール取出指示を送信する。なお、対応するＰＣ４０を特定するためには、携帯メールアドレス・ＰＣ対応テーブル３００を用いて、ステップＳ２０２での処理と同様の処理を行う。
そして、電子メール検索モジュール４２は、通信モジュール４１を介して電子メール取出指示を受け取る。指定された電子メールを電子メール記憶モジュール４３から取り出す。取り出した電子メールを通信モジュール４１を介して、携帯サーバ３０へ送信する。
そして、電子メール取出モジュール３５は、通信モジュール３２を介して印刷すべき電子メールを受信する。
【００４２】
ステップＳ２０６では、携帯サーバ３０は、印刷すべき電子メールをプリンタ５０で印刷させるべく制御する。
つまり、電子メール取出モジュール３５は、ステップＳ２０５で受信した電子メールを印刷制御モジュール３６へ渡す。印刷制御モジュール３６は、その電子メールを印刷すべく印刷用データ等に変換して、プリンタ５０へ送信する。プリンタ５０は受信した電子メールを印刷する。
【００４３】
図５は、第２の実施の形態の構成例についての概念的なモジュール構成図を示している。
なお、第１の実施の形態と同種の部位には同一符号を付し重複した説明を省略する。ただし、同一符号であっても、第１の実施の形態のものを含めた他の処理をするものは、その説明を付加する。
第２の実施の形態は、図５に示すように、携帯電話１０、携帯サーバ３０、ＰＣ４０、プリンタ５０、電子メールサーバ６０を有している。プリンタ５０と電子メールサーバ６０は通信回線９４を介して接続されている。携帯サーバ３０内には、電子メール送受信モジュール３１、通信モジュール３２、検索モジュール３３１、検索結果印刷問合モジュール３４、電子メール取出モジュール３５、印刷制御モジュール３６、電子メール受信指示モジュール３７を有している。ＰＣ４０内には、通信モジュール４１、電子メール検索モジュール４２、電子メール記憶モジュール４３、電子メール受信モジュール４４を有している。イントラネット内に、携帯サーバ３０、ＰＣ４０、プリンタ５０、電子メールサーバ６０があり、イントラネット外に携帯電話１０がある。
【００４４】
携帯電話１０が携帯サーバ３０へ送信する電子メールには、第１の実施の形態の携帯電話１０が送信する電子メールに加えて、検索結果には印刷したい電子メールが含まれていなかった旨の電子メールがある。携帯サーバ３０から携帯電話１０が受信する電子メールには、検索結果の電子メールが複数回ある。
【００４５】
電子メール送受信モジュール３１は、検索モジュール３３１、検索結果印刷問合モジュール３４、電子メール取出モジュール３５、電子メール受信指示モジュール３７と接続され、また、通信回線２０を介して携帯電話１０と接続されている。第１の実施の形態の電子メール送受信モジュール３１と同様に、検索モジュール３３１、電子メール受信指示モジュール３７等と携帯電話１０との間で電子メールをやり取りする。
通信モジュール３２は、検索モジュール３３１、検索結果印刷問合モジュール３４、電子メール取出モジュール３５、電子メール受信指示モジュール３７と接続され、また、通信回線９２を介してＰＣ４０の通信モジュール４１と接続されている。第１の実施の形態と同様に、検索モジュール３３１、電子メール受信指示モジュール３７等とＰＣ４０との間で情報をやり取りする。
【００４６】
検索モジュール３３１は、電子メール送受信モジュール３１、通信モジュール３２と接続されている。
検索モジュール３３１は、電子メール送受信モジュール３１から渡された電子メール内の検索指示に応じて、対応するＰＣ４０、つまり検索対象である電子メールを格納しているＰＣ４０にその検索を行わせる検索指示を送信するように通信モジュール３２へ渡す。
また、検索モジュール３３１は、ＰＣ４０が電子メールサーバ６０からの電子メール受信を完了した旨を、ＰＣ４０より受信した後に、再度、検索指示をＰＣ４０へ通信モジュール３２を介して送信する。なお、電子メール受信指示モジュール３７からの電子メールの受信指示によって、ＰＣ４０は電子メールサーバ６０からの電子メールを受信する。
【００４７】
検索結果印刷問合モジュール３４は、電子メール送受信モジュール３１、通信モジュール３２と接続されている。第１の実施の形態の検索結果印刷問合モジュール３４に加えて、検索結果を複数回受け取り、その検索結果を携帯電話１０へ電子メール送受信モジュール３１を介して複数回送信する。
【００４８】
電子メール受信指示モジュール３７は、電子メール送受信モジュール３１、通信モジュール３２と接続されている。
電子メール受信指示モジュール３７は、電子メール送受信モジュール３１を介して、携帯電話１０より検索結果には印刷したい電子メールが含まれていなかった旨の電子メールを受信する。そして、通信モジュール３２を介してＰＣ４０に対して、電子メールサーバ６０から電子メールを受信するように指示する電子メール受信指示を送信する。つまり、まだＰＣ４０が電子メールサーバ６０から電子メールを受信していない場合もあり得て、その結果として、操作者が印刷したい電子メールが検索結果としてなかった場合もあるからである。また、ここでは、操作者が送信する電子メールの内容は「検索結果には印刷したい電子メールが含まれていなかった旨」であるが、操作者から直接「電子メールを受信すべき旨」の指示であってもよい。
【００４９】
通信モジュール４１は、電子メール検索モジュール４２、電子メール受信モジュール４４と接続され、また、通信回線９２を介して携帯サーバ３０の通信モジュール３２と接続されている。
通信モジュール４１は、第１の実施の形態の通信モジュール４１に加えて、電子メール受信指示モジュール３７からの電子メール受信指示を受け取り、電子メール受信モジュール４４へ渡す。
電子メール検索モジュール４２は、通信モジュール４１、電子メール記憶モジュール４３と接続されている。
電子メール検索モジュール４２は、第１の実施の形態の電子メール検索モジュール４２に加えて、検索結果を通信モジュール４１を介して、携帯サーバ３０へ複数回送信する。
電子メール記憶モジュール４３は、電子メール検索モジュール４２、電子メール受信モジュール４４と接続されている。
電子メール記憶モジュール４３は、第１の実施の形態の電子メール記憶モジュール４３に加えて、電子メール受信モジュール４４によって受信された電子メールを記憶する。
【００５０】
電子メール受信モジュール４４は、通信モジュール４１、電子メール記憶モジュール４３と接続され、また、通信回線９４を介して電子メールサーバ６０と接続されている。
電子メール受信モジュール４４は、通信モジュール４１を介して、携帯サーバ３０より電子メール受信指示を受け取り、電子メールサーバ６０に蓄積されている電子メールを受信する。そして、その受信した電子メールを電子メール記憶モジュール４３に格納する。受信完了したことを通信モジュール４１を介して、携帯サーバ３０へ送信する。
電子メールサーバ６０は、通信回線９４を介してＰＣ４０の電子メール受信モジュール４４と接続されている。
電子メールサーバ６０は、ＰＣ４０の操作者宛の電子メールを取得し、ＰＣ４０からの要請に応じて、その電子メールを送信する。
【００５１】
次に、第２の実施の形態の作用・働き（動作）を説明する。
図６を用いて、第２の実施の形態の処理例を説明する。なお、図５に示した通信回線２０はインターネット２１に該当し、通信回線９２、９３、９４は、ネットワーク９０に該当する。
まず、概要を説明する。
第１の実施の形態では、検索結果に、印刷したい電子メールがあった場合であるが、第２の実施の形態は、「検索結果には印刷したい電子メールが含まれていなかった場合」に、ＰＣ４０が電子メールサーバ６０内に蓄積されている電子メールを受信するようにするものである。これによって、ＰＣ４０内の電子メール記憶モジュール４３を最新の状態に保つようにして、検索を最新の状態に対して行えるようにした。
【００５２】
次に、詳細を説明する。第１の実施の形態の図２と同様の場合は、そのステップ番号を記して説明を省略する。
ステップＳ６０１〜ステップＳ６０３では、それぞれステップＳ２０１〜ステップＳ２０３と同様である。
ステップＳ６０４では、携帯電話１０は、ステップＳ６０３で送信された電子メールを受信し、操作者の操作に応じて、検索結果には印刷したい電子メールが含まれていなかった旨を、電子メールで携帯サーバ３０へ送信する。
【００５３】
ステップＳ６０５では、携帯サーバ３０は、ＰＣ４０に対して、電子メールを受信する指示を送信する。
つまり、電子メール受信指示モジュール３７は、電子メール送受信モジュール３１を介して、携帯電話１０より検索結果には印刷したい電子メールが含まれていなかった旨を受信する。そして、通信モジュール３２を介してＰＣ４０に対して、最新の電子メールを受信する指示を送信する。
【００５４】
ステップＳ６０６では、ＰＣ４０は、電子メールサーバ６０にアクセスして、電子メールを受信する。
つまり、電子メール受信モジュール４４は、通信モジュール４１を介して、電子メール受信指示を受信し、ＰＯＰ−３（Ｐｏｓｔ  Ｏｆｆｉｃｅ  Ｐｒｏｔｏｃｏｌ  ｖｅｒｓｉｏｎ３）等で電子メールサーバ６０にアクセスして、最新の電子メールを受信する。その受信した電子メールを電子メール記憶モジュール４３に格納する。そして、電子メールの受信が完了したことを携帯サーバ３０へ送信する。
【００５５】
ステップＳ６０７では、携帯サーバ３０から検索指示で指定されたＰＣ４０内に格納された電子メールを検索する。この検索は、ステップＳ６０２に続き、２回目である。
つまり、検索モジュール３３１は、ステップＳ６０２と同様に携帯電話１０からの電子メール内の検索指示に応じて、対応するＰＣ４０内に格納されている電子メールを検索するように、通信モジュール３２を介してＰＣ４０に検索指示を送信する。
ステップＳ６０８では、携帯サーバ３０から検索結果を電子メールで携帯電話１０へ送信する。この検索結果の送信は、ステップＳ６０３に続き、２回目である。
ステップＳ６０９では、携帯電話１０は、ステップＳ６０８で送信された電子メールを受信し、操作者の操作に応じて、携帯電話１０の画面で印刷したい電子メールが選択される。携帯電話１０は、その選択された電子メールを特定する情報を、電子メールで携帯サーバ３０へ送信する。
ステップＳ６１０は、第１の実施の形態の図２のステップＳ２０５と同様である。
ステップＳ６１１は、第１の実施の形態の図２のステップＳ２０６と同様である。
【００５６】
図７は、第３の実施の形態の構成例についての概念的なモジュール構成図を示している。
なお、第１の実施の形態又は第２の実施の形態と同種の部位には同一符号を付し重複した説明を省略する。ただし、同一符号であっても、第１の実施の形態又は第２の実施の形態のものを含めた処理をするものは、その説明を付加する。
第３の実施の形態は、図７に示すように、携帯電話１０、携帯サーバ３０、ＰＣ４０、プリンタ５０、電子メールサーバ６０を有している。携帯サーバ３０内には、電子メール送受信モジュール３１、通信モジュール３２、電子メール受信指示モジュール３８、検索モジュール３３２、検索結果印刷問合モジュール３４、電子メール取出モジュール３５、印刷制御モジュール３６を有している。
【００５７】
携帯電話１０が携帯サーバ３０へ送信する電子メールには、第１の実施の形態の携帯電話１０が送信する電子メールに加えて、電子メール検索指示と供に、ＰＣ４０が電子メールサーバ６０から電子メールを受信すべき指示である電子メール受信指示の電子メールがある。
【００５８】
電子メール送受信モジュール３１は、電子メール受信指示モジュール３８、検索結果印刷問合モジュール３４、電子メール取出モジュール３５と接続され、また、通信回線２０を介して携帯電話１０と接続されている。第１の実施の形態の電子メール送受信モジュール３１と同様に、電子メール受信指示モジュール３８、検索結果印刷問合モジュール３４、電子メール取出モジュール３５と携帯電話１０との間で電子メールをやり取りする。
通信モジュール３２は、電子メール受信指示モジュール３８、検索モジュール３３２、検索結果印刷問合モジュール３４、電子メール取出モジュール３５と接続され、また、通信回線９２を介してＰＣ４０の通信モジュール４１と接続されている。第１の実施の形態と同様に、検索モジュール３３２、電子メール受信指示モジュール３８等とＰＣ４０との間で情報をやり取りする。
【００５９】
電子メール受信指示モジュール３８は、電子メール送受信モジュール３１、通信モジュール３２、検索モジュール３３２と接続されている。電子メール送受信モジュール３１を介して、携帯電話１０より電子メール検索指示と供に電子メール受信指示の電子メールを受信する。そして、通信モジュール３２を介してＰＣ４０に対して、電子メールサーバ６０から電子メールを受信するように指示する電子メール受信指示を送信する。また、ここでは、電子メールの内容は電子メール検索指示と電子メール受信指示であるが、電子メール検索指示だけの電子メールを受け取っても、電子メール受信指示も受け取った場合と同じ処理を行ってもよい。
そして、ＰＣ４０から電子メール受信が完了した旨を受信した場合は、電子メール検索指示を検索モジュール３３２へ渡す。
【００６０】
検索モジュール３３２は、通信モジュール３２、電子メール受信指示モジュール３８と接続されている。
検索モジュール３３２は、電子メール受信指示モジュール３８より受け取った電子メール検索指示に応じて、対応するＰＣ４０、つまり検索対象である電子メールを格納しているＰＣ４０にその検索を行わせる検索指示を送信するように通信モジュール３２へ渡す。
【００６１】
次に、第３の実施の形態の作用・働き（動作）を説明する。
図８を用いて、第３の実施の形態の処理例を説明する。
まず、概要を説明する。
第２の実施の形態では、検索結果に印刷すべき電子メールがなかった場合に、ＰＣ４０に電子メールサーバ６０から電子メールを受信させるようにしているが、第３の実施の形態では、初めに電子メール受信指示を行い、それから検索を行うようにしたものである。
【００６２】
次に、詳細を説明する。第１の実施の形態の図２又は第２の実施の形態の図６と同様の場合は、そのステップ番号を記して説明を省略する。
ステップＳ８０１では、操作者の操作に応じて、携帯電話１０から携帯サーバ３０へ電子メールを送信する。この電子メール内には、イントラネット９１内のＰＣ４０内部の電子メールを検索させる検索指示及びＰＣ４０が電子メールサーバ６０から電子メールを受信すべき指示である電子メール受信指示が含まれている。
【００６３】
ステップＳ８０２では、携帯サーバ３０は、ＰＣ４０に対して、電子メールを受信する指示を送信する。
つまり、電子メール受信指示モジュール３８は、電子メール送受信モジュール３１を介して、携帯電話１０より電子メール受信指示の電子メールを受信する。そして、通信モジュール３２を介してＰＣ４０に対して、最新の電子メールを受信する指示を送信する。
ステップＳ８０３は、ステップＳ６０６と同様である。
【００６４】
ステップＳ８０４では、携帯サーバ３０から電子メール検索指示で指定されたＰＣ４０内に格納された電子メールを検索する。
つまり、検索モジュール３３２は、電子メール受信指示モジュール３８より電子メール検索指示を受け取り、対応するＰＣ４０内に格納されている電子メールを検索するように、通信モジュール３２を介してＰＣ４０に検索指示を送信する。
ステップＳ８０５〜ステップＳ８０８は、ステップＳ２０３〜ステップＳ２０６と同様である。
【００６５】
なお、本実施の形態としてのプログラムが実行されるコンピュータのハードウェア構成（携帯サーバ３０又はＰＣ４０）は、図９に示すように、一般的なコンピュータであり、具体的にはパーソナルコンピュータ、サーバとなり得るコンピュータ等である。検索指示モジュール３３、検索結果印刷問合モジュール３４、電子メール取出モジュール３５等のプログラムを実行するＣＰＵ９０１と、そのプログラムやデータを記憶するＲＡＭ９０２と、本コンピュータを起動するためのプログラム等が格納されているＲＯＭ９０３と、補助記憶装置であるＨＤ９０４（例えばハードディスクを用いることができる）と、キーボード、マウス等のデータを入力する入力装置９０６と、ＣＲＴや液晶ディスプレイ等の出力装置９０５と、通信ネットワークと接続するための通信回線インタフェース９０７（電子メール送受信モジュール３１又は通信モジュール３２等に該当する、例えばネットワークインタフェースカードを用いることができる）、そして、それらをつないでデータのやり取りをするためのバス９０８により構成されている。これらのコンピュータが複数台互いにネットワークによって接続されていてもよい。
【００６６】
前述の実施の形態のうち、コンピュータ・プログラムによるものについては、本ハードウェア構成のシステムにソフトウェアであるコンピュータ・プログラムを読み込ませ、ソフトウェアとハードウェア資源とが協働して、前述の実施の形態が実現される。
なお、図９に示すハードウェア構成は、１つの構成例を示すものであり、本実施の形態は、図９に示す構成に限らず、本実施の形態において説明したモジュールを実行可能な構成であればよい。例えば、一部のモジュールを専用のハードウェア（例えばＡＳＩＣ等）で構成してもよく、一部のモジュールは外部のシステム内にあり通信回線で接続しているような形態でもよく、さらに図９に示すシステムが複数互いに通信回線によって接続されていて互いに協調動作するようにしてもよい。また、特に、パーソナルコンピュータの他、情報家電、複写機、ＦＡＸ、スキャナ、プリンタ、複合機（スキャナ、プリンタ、複写機、ＦＡＸ等のいずれか２つ以上の機能を有している画像処理装置）などに組み込まれていてもよい。
【００６７】
前記実施の形態においては、検索対象は電子メールを示したが、その検索対象としての電子メールには添付されている電子文書等を含んでいてもよい。
また、前記実施の形態においては、プリンタ５０はイントラネット内に設置されているとしたが、イントラネット外のネットワークに接続されていてもよく、例えば、携帯電話１０の操作者の近辺に設置されているプリンタ５０であってもよい。
また、前記実施の形態においては、携帯サーバ３０とプリンタ５０はネットワーク９０によって接続されているが、携帯サーバ３０とプリンタ５０は一体に形成されていてもよい。同様に、携帯サーバ３０とＰＣ４０又は電子メールサーバ６０も一体に形成されていてもよい。
また、前記実施の形態においては、イントラネット外からイントラネット内の携帯サーバ３０へ指示を送信する情報処理システムとして携帯電話を示したが、携帯電話以外にもＰＨＳ、自動車電話、ノート型ＰＣやＰＤＡ等のデータ通信端末、通信機能を有しているゲーム端末、ナビゲーションシステム、情報家電等であってもよい。
また、前記実施の形態においては、画像出力として、プリンタ５０による印刷を示したが、紙媒体への印刷の他に、電子ペーパー（フィルムなどに画像を表示する薄型の表示媒体）等への画像出力、液晶画面等への表示等であってもよい。
【００６８】
なお、説明したプログラムについては、記録媒体に格納して提供してもよく、また、そのプログラムを通信手段によって提供してもよい。その場合、例えば、上記説明したプログラムについて、「プログラムを記録したコンピュータ読み取り可能な記録媒体」の発明として捉えてもよい。
「プログラムを記録したコンピュータ読み取り可能な記録媒体」とは、プログラムのインストール、実行、プログラムの流通などのために用いられる、プログラムが記録されたコンピュータで読み取り可能な記録媒体をいう。
なお、記録媒体としては、例えば、デジタル・バーサタイル・ディスク（ＤＶＤ）であって、ＤＶＤフォーラムで策定された規格である「ＤＶＤ−Ｒ、ＤＶＤ−ＲＷ、ＤＶＤ−ＲＡＭ等」、ＤＶＤ＋ＲＷで策定された規格である「ＤＶＤ＋Ｒ、ＤＶＤ＋ＲＷ等」、コンパクトディスク（ＣＤ）であって、読出し専用メモリ（ＣＤ−ＲＯＭ）、ＣＤレコーダブル（ＣＤ−Ｒ）、ＣＤリライタブル（ＣＤ−ＲＷ）等、光磁気ディスク（ＭＯ）、フレキシブルディスク（ＦＤ）、磁気テープ、ハードディスク、読出し専用メモリ（ＲＯＭ）、電気的消去及び書換可能な読出し専用メモリ（ＥＥＰＲＯＭ）、フラッシュ・メモリ、ランダム・アクセス・メモリ（ＲＡＭ）等が含まれる。
そして、上記のプログラム又はその一部は、上記記録媒体に記録して保存や流通等させてもよい。また、通信によって、例えば、ローカル・エリア・ネットワーク（ＬＡＮ）、メトロポリタン・エリア・ネットワーク（ＭＡＮ）、ワイド・エリア・ネットワーク（ＷＡＮ）、インターネット、イントラネット、エクストラネット等に用いられる有線ネットワーク、あるいは無線通信ネットワーク、さらにこれらの組合せ等の伝送媒体を用いて伝送させてもよく、また、搬送波に乗せて搬送させてもよい。
さらに、上記のプログラムは、他のプログラムの一部分であってもよく、あるいは別個のプログラムと共に記録媒体に記録されていてもよい。また、複数の記録媒体に分割して
記録されていてもよい。また、圧縮や暗号化など、復元可能であればどのような態様で記録されていてもよい。
【図面の簡単な説明】
【００６９】
【図１】第１の実施の形態の構成例についての概念的なモジュール構成図である。
【図２】第１の実施の形態の処理例を示す説明図である。
【図３】携帯メールアドレス・ＰＣ対応テーブルのデータ構造例を示す説明図である。
【図４】検索結果送信メールの内容例を示す説明図である。
【図５】第２の実施の形態の構成例についての概念的なモジュール構成図である。
【図６】第２の実施の形態の処理例を示す説明図である。
【図７】第３の実施の形態の構成例についての概念的なモジュール構成図である。
【図８】第３の実施の形態の処理例を示す説明図である。
【図９】本実施の形態を実現するコンピュータのハードウェア構成例を示すブロック図である。
【符号の説明】
【００７０】
１０…携帯電話
２０…通信回線
２１…インターネット
３０…携帯サーバ
３１…電子メール送受信モジュール
３２…通信モジュール
３３…検索指示モジュール
３４…検索結果印刷問合モジュール
３５…電子メール取出モジュール
３６…印刷制御モジュール
３７、３８…電子メール受信指示モジュール
４０…ＰＣ
４１…通信モジュール
４２…電子メール検索モジュール
４３…電子メール記憶モジュール
４４…電子メール受信モジュール
５０…プリンタ
６０…電子メールサーバ
９０…ネットワーク
９１…イントラネット
９２、９３、９４…通信回線
３３１、３３２…検索モジュール
【図１】
2008310432.tif 000003
【図２】
2008310432.tif 000004
【図３】
2008310432.tif 000005
【図４】
2008310432.tif 000006
【図５】
2008310432.tif 000007
【図６】
2008310432.tif 000008
【図７】
2008310432.tif 000009
【図８】
2008310432.tif 000010
【図９】
2008310432.tif 000011